(57)【要約】【課題】ＯＦＤＭとＭＣ−ＣＤＭＡとのそれぞれの欠点を解決する、セルを構成する移動通信に関する送信装置、システム及び方法を提供する。【解決手段】送信装置は、ＯＦＤＭ送信手段とＭＣ−ＣＤＭＡ送信手段とを有し、各受信装置に対する通信状態に応じて、該受信装置に割り当てられたスロット単位で、適応的にＯＦＤＭ送信手段又はＭＣ−ＣＤＭＡ送信手段のどちらか一方で送信する。また、ＯＦＤＭ送信手段を用いるとき、各受信装置に対する通信状態に応じて、変調方式及びチャネル符号化率を動的に変更し、ＭＣ−ＣＤＭＡ送信手段を用いるとき、各受信装置に対する通信状態に応じて、変調方式、チャネル符号化率及び拡散率を動的に変更する。各受信装置に対する通信状態は、該受信装置との距離及びキャリア電力対干渉信号電力及び雑音電力比がある。【選択図】      図１
2004158901.tif 000002
【特許請求の範囲】
【請求項１】
セルを構成し、複数の受信装置と無線通信する送信装置において、
ＯＦＤＭ送信手段とＭＣ−ＣＤＭＡ送信手段とを有し、
各受信装置に対する通信状態に応じて、該受信装置に割り当てられたスロット単位で、適応的に前記ＯＦＤＭ送信手段又は前記ＭＣ−ＣＤＭＡ送信手段のどちらか一方で送信することを特徴とする送信装置。
【請求項２】
前記ＯＦＤＭ送信手段を用いるとき、前記各受信装置に対する通信状態に応じて、変調方式及びチャネル符号化率を動的に変更し、
前記ＭＣ−ＣＤＭＡ送信手段を用いるとき、前記各受信装置に対する通信状態に応じて、変調方式、チャネル符号化率及び拡散率を動的に変更することを特徴とする請求項１に記載の送信装置。
【請求項３】
前記各受信装置に対する通信状態は、該受信装置との距離及びキャリア電力対干渉信号電力及び雑音電力比であることを特徴とする請求項１又は２に記載の送信装置。
【請求項４】
前記各受信装置に対する通信状態が、該受信装置との距離が近く且つキャリア電力対干渉信号電力及び雑音電力比が高い場合には、ＯＦＤＭ送信手段で送信し、前記受信装置との距離が遠く又はキャリア電力対干渉信号電力及び雑音電力比が低い場合には、ＭＣ−ＣＤＭＡ送信手段で送信することを特徴とする請求項３に記載の送信装置。
【請求項５】
前記各受信装置に対する通信状態は、更に遅延スプレッド及び最大ドップラー周波数を含むことを特徴とする請求項３又は４に記載の送信装置。
【請求項６】
前記受信装置に割り当てられたスロット単位で送信電力制御手段を更に有することを特徴とする請求項１から５のいずれか１項に記載の送信装置。
【請求項７】
請求項１から６のいずれか１項に記載の少なくとも２つの送信装置によって構成されるセルが隣接する一定の領域に存在する前記受信装置に対して、前記少なくとも２つの送信装置は、同時に、該受信装置に対する同一データを送信し、サイトダイバーシチを行うことを特徴とするシステム。
【請求項８】
前記ＭＣ−ＣＤＭＡの信号を受信した前記受信装置は、該ＭＣ−ＣＤＭＡのコード間干渉について、最小二乗平均誤差手段又は最尤系列推定手段を用いることを特徴とする請求項７に記載のシステム。
【請求項９】
セルを構成し、複数の受信装置と無線通信する送信装置の送信方法において、
各受信装置に対する通信状態に応じて、該受信装置に割り当てられたスロット単位で、適応的にＯＦＤＭ又は又はＭＣ−ＣＤＭＡのどちらか一方を用いて送信することを特徴とする送信方法。
【請求項１０】
前記ＯＦＤＭで送信するとき、該受信装置に対する通信状態に応じて、変調方式及びチャネル符号化率を動的に変更し、前記ＭＣ−ＣＤＭＡで送信するとき、該受信装置に対する通信状態に応じて、変調方式、チャネル符号化率及び拡散率を動的に変更することを特徴とする請求項９に記載の送信方法。
【請求項１１】
前記各受信装置に対する通信状態は、該受信装置との距離及びキャリア電力対干渉信号電力及び雑音電力比であることを特徴とする請求項９又は１０に記載の送信方法。
【請求項１２】
前記各受信装置に対する通信状態が、前記受信装置との距離が近く且つキャリア電力対干渉信号電力及び雑音電力比が高い場合には、ＯＦＤＭで送信し、前記受信装置との距離が遠く又はキャリア電力対干渉信号電力及び雑音電力比が低い場合には、ＭＣ−ＣＤＭＡで送信することを特徴とする請求項１１に記載の送信方法。
【請求項１３】
前記各受信装置に対する通信状態は、更に遅延スプレッド及び最大ドップラー周波数を含むことを特徴とする請求項１１又は１２に記載の送信方法。
【請求項１４】
前記受信装置に割り当てられたスロット単位で前記受信装置単位の送信電力制御手段を更に有することを特徴とする請求項９から１３のいずれか１項に記載の送信方法。
【発明の詳細な説明】
【０００１】
【発明の属する技術分野】
本発明は、移動通信に関する送信装置、システム及び方法に関する。
【０００２】
【従来の技術】
現在、無線方式としてＣＤＭＡ２０００（Ｃｏｄｅ  Ｄｉｖｉｓｉｏｎ  Ｍｕｌｔｉｐｌｅ  Ａｃｃｅｓｓ  −  ２０００）方式を採用したＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ  −  ２０００）の本格的な商用化が開始されている。ＩＭＴ−２０００におけるデータ通信サービスの情報伝送速度は、移動時で１４４ｋｂｐｓ、静止時で２Ｍｂｐｓを実現可能とする。
【０００３】
一方、移動通信環境において、電子メールやインターネットアクセスのみならず、高精細な動画像伝送、大容量ファイルのダウンロードといったマルチメディア通信を実現するためには、今後、更に高速な無線システムが必要となる。現在、移動時で最大２０Ｍｂｐｓ、静止時で１００Ｍｂｐｓ程度の情報伝送の実現を目指す第４世代移動通信システムの研究開発が始まっている。
【０００４】
移動通信環境において、高速・高品質な情報伝送を実現するためには、通信品質の劣化要因に対して強い耐性を持つことに加え、周波数利用効率の高い伝送方式が必要である。このような伝送方式の有力な候補として、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）方式や、拡散シンボルを複数のサブキャリアで送信するＭＣ−ＣＤＭＡ（Ｍｕｌｔｉｐｌｅ  Ｃａｒｒｉｅｒ  −  Ｃｏｄｅ  Ｄｉｖｉｓｉｏｎ  Ｍｕｌｔｉｐｌｅ  Ａｃｃｅｓｓ：マルチキャリア符号分割多元接続）方式などがある。
【０００５】
また、第４世代移動通信システムを対象とし、コード間干渉に対する耐性を確保しつつ高速パケット伝送を実現する無線伝送方式として、２次元（周波数及び時間）拡散を適用したＶＳＦ−ＯＦＣＤＭ（Ｖａｒｉａｂｌｅ  Ｓｐｒｅａｄｉｎｇ  Ｆａｃｔｏｒ  −  Ｏｒｔｈｏｇｏｎａｌ  Ｆｒｅｑｕｅｎｃｙ  ａｎｄ  Ｃｏｄｅ  Ｄｉｖｉｓｉｏｎ  Ｍｕｌｔｉｐｌｅｘｉｎｇ）方式が提案されている（例えば、非特許文献１参照）。ＶＳＦ−ＯＦＣＤＭは、周波数と時間軸上の２次元拡散を行う無線方式であり、無線パラメータ（周波数及び時間領域の拡散率、データ変調、チャネル符号化率、コード多重数）を伝搬状態に応じて適応的に制御するシステムである。
【０００６】
【非特許文献１】
前田、新、安部田、佐和橋著「２次元拡散を用いるＶＳＦ−ＯＦＤＭとその特性」ＲＣＳ２００２−０５、ｐ．５９〜６４
【０００７】
【発明が解決しようとする課題】
しかし、広帯域信号を用いたセルラシステムでは、セルを面的に展開するために、同一周波数を繰り返し使用することになる。
【０００８】
従って、ＯＦＤＭでは、他セルからの同一チャネル干渉の影響を受けやすいため、特に同一チャネル干渉が厳しい低ＣＩＮＲ（Ｃａｒｒｉｅｒ  ｔｏ  Ｉｎｔｅｒｆｅｒｅｎｃｅ  ＮｏｉｓｅＲａｔｉｏ：キャリア電力対干渉信号電力及び雑音電力比）環境の領域では、大容量伝送を行うことが困難となる。
【０００９】
一方、ＭＣ−ＣＤＭＡは、同一データをコピーし、複数のサブキャリアを用いて同時伝送するため、キャリア毎に異なるデータを伝送するＯＦＤＭより伝送容量が落ちるという問題がある。また、ＭＣ−ＣＤＭＡにおいて符号多重化を行うことにより高速化を図る方式も提案されているが、マルチパス環境下では符号の直交性が崩れ、特性が劣化するという課題がある。
【００１０】
また、ＶＳＦ−ＯＦＣＤＭは、セルラ環境でブロードバンドパケット伝送を実現することができるが、周波数拡散に併せ、時間拡散を行うため、ハードウェア的な構成が非常に複雑となる。また、ハードウェア化に際し、時間拡散と周波数拡散をユーザ単位で独立に制御することも実現が非常に困難である。
【００１１】
そこで、本発明は、ＯＦＤＭとＭＣ−ＣＤＭＡとを相互に利用し、前述したそれぞれの通信方式における欠点を解決する、セルを構成する移動通信に関する送信装置、システム及び方法を提供することを目的とする。
【００１２】
【課題を解決するための手段】
本発明おける送信装置によれば、ＯＦＤＭ送信手段とＭＣ−ＣＤＭＡ送信手段とを有し、各受信装置に対する通信状態に応じて、該受信装置に割り当てられたスロット単位で、適応的にＯＦＤＭ送信手段又はＭＣ−ＣＤＭＡ送信手段のどちらか一方で送信することを特徴とする。
【００１３】
本発明の送信装置における他の実施形態によれば、ＯＦＤＭ送信手段を用いるとき、各受信装置に対する通信状態に応じて、変調方式及びチャネル符号化率を動的に変更し、ＭＣ−ＣＤＭＡ送信手段を用いるとき、各受信装置に対する通信状態に応じて、変調方式、チャネル符号化率及び拡散率を動的に変更することも好ましい。
【００１４】
また、本発明の送信装置における他の実施形態によれば、各受信装置に対する通信状態は、該受信装置との距離及びキャリア電力対干渉信号電力及び雑音電力比であることも好ましい。
【００１５】
更に、本発明の送信装置における他の実施形態によれば、各受信装置に対する通信状態が、該受信装置との距離が近く且つキャリア電力対干渉信号電力及び雑音電力比が高い場合には、ＯＦＤＭ送信手段で送信し、受信装置との距離が遠く又はキャリア電力対干渉信号電力及び雑音電力比が低い場合には、ＭＣ−ＣＤＭＡ送信手段で送信することも好ましい。
【００１６】
更に、本発明の送信装置における他の実施形態によれば、各受信装置に対する通信状態は、更に遅延スプレッド及び最大ドップラー周波数を含むことも好ましい。
【００１７】
更に、本発明の送信装置における他の実施形態によれば、受信装置に割り当てられたスロット単位で送信電力制御手段を更に有することも好ましい。
【００１８】
本発明の送信システムによれば、前述した少なくとも２つの送信装置によって構成されるセルが隣接する一定の領域に存在する受信装置に対して、少なくとも２つの送信装置は、同時に、該受信装置に対する同一データを送信し、サイトダイバーシチを行うことを特徴とする。
【００１９】
また、本発明の送信システムにおける他の実施形態によれば、ＭＣ−ＣＤＭＡの信号を受信した受信装置は、ＭＣ−ＣＤＭＡのコード間干渉について、最小二乗平均誤差手段又は最尤系列推定手段を用いることも好ましい。
【００２０】
本発明の送信方法によれば、各受信装置に対する通信状態に応じて、該受信装置に割り当てられたスロット単位で、適応的にＯＦＤＭ又は又はＭＣ−ＣＤＭＡのどちらか一方を用いて送信することを特徴とする。
【００２１】
本発明の送信方法における他の実施形態によれば、ＯＦＤＭで送信するとき、該受信装置に対する通信状態に応じて、変調方式及びチャネル符号化率を動的に変更し、ＭＣ−ＣＤＭＡで送信するとき、該受信装置に対する通信状態に応じて、変調方式、チャネル符号化率及び拡散率を動的に変更することも好ましい。
【００２２】
また、本発明の送信方法における他の実施形態によれば、各受信装置に対する通信状態は、該受信装置との距離及びキャリア電力対干渉信号電力及び雑音電力比であることも好ましい。
【００２３】
更に、本発明の送信方法における他の実施形態によれば、各受信装置に対する通信状態が、受信装置との距離が近く且つキャリア電力対干渉信号電力及び雑音電力比が高い場合には、ＯＦＤＭで送信し、受信装置との距離が遠く又はキャリア電力対干渉信号電力及び雑音電力比が低い場合には、ＭＣ−ＣＤＭＡで送信することも好ましい。
【００２４】
更に、本発明の送信方法における他の実施形態によれば、各受信装置に対する通信状態は、更に遅延スプレッド及び最大ドップラー周波数を含むことも好ましい。
【００２５】
更に、本発明の送信方法における他の実施形態によれば、全てのセルは、同一周波数であって、他セルへの与干渉を軽減するため受信装置単位の送信電力制御手段を更に有することも好ましい。
【００２６】
【発明の実施の形態】
以下では、図面を用いて、本発明の実施形態を詳細に説明する。
【００２７】
図１は、本発明におけるセル構成図である。
【００２８】
本発明は、高速伝送を実現するＯＦＤＭと、干渉信号に対して耐性の高いＭＣ−ＣＤＭＡとを、伝搬状態及び通信環境に応じて時間軸で使い分け、通信容量の改善を図り、高速・高品質のブロードバンド無線アクセス伝送を行う無線通信システムを実現したものである。特に、基地局から短距離の領域又はＣＩＮＲが高い領域では、ＯＦＤＭを用い、基地局から遠距離の領域又はＣＩＮＲが低い領域では、ＭＣ−ＣＤＭＡを用いる。多重化方式としては、ＯＦＤＭがＴＤＭ（Ｔｉｍｅ  Ｄｉｖｉｓｉｏｎ  Ｍｕｌｔｉｐｌｅｘ）を用い、ＭＣ−ＣＤＭＡがＣＤＭ（Ｃｏｄｅ  Ｄｉｖｉｓｉｏｎ  Ｍｕｌｔｉｐｌｅｘ）及びＴＤＭを用い、ＯＦＤＭとＭＣ−ＣＤＭＡの使い分けは時間軸上で行う。
【００２９】
ＯＦＤＭは、高速大容量伝送が可能となる一方で、ＣＩＮＲが低い領域においては、他セルからの干渉の影響を受けやすくなり通信品質が大きく劣化し、大容量伝送を確保するのが困難となる。そこで、ＣＩＮＲが低い領域においては、ＭＣ−ＣＤＭＡを用いることにより通信を確保することができる。更に、伝送状態の変動に応じて最大スループットを得るためには、適応変調及びチャネル符号化率の適応制御を行うこともできる。
【００３０】
基地局と受信装置との間の通信距離が長くなるに従って、又はＣＩＮＲが低くなるに従って、以下のような拡散率増加及び適応変調制御を行う。これら制御は、受信装置単位で適用する。
【００３１】
2004158901.tif 000003
【００３２】
図１によれば、利用可能な周波数が限定されているマイクロ波帯を用いるために、周波数利用効率を高めるべく隣接セル間で同一周波数（１セル繰り返し）を使用している。従って、そのセル間で同一チャネル干渉が発生する場合がある。但し、本発明を、同一周波数の繰り返し距離を２セル以上とするものにも適用できるのは当然である。
【００３３】
そこで、他セルに与える干渉を極力軽減するため、ＯＦＤＭを時間スロット単位で送信電力を制御することが好ましい。一方、ＭＣ−ＣＤＭＡは、受信装置毎に、１つのデータ信号をコピーして異なる拡散符号を用いて多重化するので、干渉信号に対して耐性が高いという特徴がある。
【００３４】
ＯＦＤＭ及びＭＣ−ＣＤＭＡについては、受信装置との距離、ＣＩＮＲ、遅延スプレッド及び／又は最大ドップラー周波数に基づいて、変調方式、チャネル符号化率及び拡散率を動的に変更する。尚、ＭＣ−ＣＤＭＡについては、受信装置の位置、受信装置の数、トラヒック量等に応じて制御するものであってもよい。
【００３５】
図１によれば、セルの境界に近い領域には、サイトダイバーシチ領域が表されている。
【００３６】
本発明によれば、隣接セル間でサイトダイバーシチを行い、伝送品質を保つことができる。特に、セルの境界に近い領域では、ＭＣ−ＣＤＭＡの拡散率が大きくなっており、コード間干渉が発生し易く、特性が大きく劣化し易い。従って、サイトダイバーシチを用いることにより、ＭＣ−ＣＤＭＡにおける拡散率を過度に大きくせず、サイトダイバーシチ効果で伝送品質を高めることができる。
【００３７】
また、サイトダイバーシチを行うか否かは、受信装置の位置だけでなく、受信装置の数、トラヒック量等も考慮して判断される。これにより、拡散率を過度に増大させなくても、サイトダイバーシチ効果によりダイバーシチゲインを得ることが可能となる。
【００３８】
本発明のように、ＯＦＤＭにおける送信電力制御と、ＭＣ−ＣＤＭＡにおけるサイトダイバーシチ効果とを組み合わせることにより、送信電力の低減及び干渉電力の低減により通信容量を増加できる。
【００３９】
尚、受信機で発生するＭＣ−ＣＤＭＡのコード間干渉は、ＭＭＳＥ（Ｍｉｎｉｍｕｍ  Ｍｅａｎ  Ｓｑｕａｒｅ  Ｅｒｒｏｒ：最小二乗平均誤差法）、ＭＬＤ（Ｍａｘｉｍｕｍ  Ｌｉｋｅｌｉｈｏｏｄ  Ｄｅｔｅｃｔｉｏｎ：最尤系列推定法）を用いることより解決することができる。
【００４０】
図２は、本発明による送信装置及び受信装置の機能構成図である。
【００４１】
送信装置１は、ＰＮ系列の送信データを出力するＰＮ発生部１１と、送信データを誤り訂正符号化し且つインタリーブを施すエンコーディングインタリーブ部１２と、マッピング部１３と、パイロット信号挿入部１４と、分割多重送信部１５と、送信アンテナ１６とを有する。
【００４２】
分割多重送信部１５は、シリアル／パラレル変換部１５１によって、シリアル／パラレル変換を行う。シリアル／パラレル変換部１５１の出力信号において、ＯＦＤＭの場合、その出力信号を逆高速フーリエ変換（ＩＦＦＴ）部１５４へ直接入力する。一方、ＭＣ−ＣＤＭＡの場合、その出力信号を、連続するＮｃ／ＳＦ個のシンボルを並列データ系列に転換する。次に、コピー部１５２によって、シンボル毎にＳＦ個だけコピーする。次に、拡散部１５３によって、ＳＦ個コピーされたシンボル毎に定数Ｃｉ，ｊ（ｉ＝１，２，…，Ｎｃ／ＳＦ，ｊ＝１，２，…，ＳＦ）を乗算する。Ｎｃは、サブキャリア数を表し、全てのｉに対してはチップ長がＳＦの拡散を表す。
【００４３】
ＯＦＤＭの場合、シリアル／パラレル変換部１５１からの出力シンボルが、ＭＣ−ＣＤＭＡの場合、乗算された計Ｎｃ個のシンボルが、ＩＦＦＴ部１５４によって時間軸のデータに変換される。次に、パラレル／シリアル変換部１５５によって、パラレル／シリアル変換され、ガードインターバル（ＧＩ）部１５６によって、ガードインターバルが付加される。ガードインターバルは、遅延波による符号間干渉を回避するために用いられる。
【００４４】
受信装置２は、受信アンテナ２１と、分割多重受信部２２と、デコーディングデインタリーブ部２３とを有する。
【００４５】
分割多重受信部２２は、ガードインターバル部２２１によって、プリアンブル信号の相関を取り、ガードインターバルが削除される。次に、シリアル／パラレル変換部２２２によって、シリアル信号をパラレルに変換する。次に、高速フーリエ変換（ＦＦＴ）部２２３によって、同一のデータを各サブキャリアに載せる。ここで、ＦＦＴ部２２３の出力信号において、ＯＦＤＭの場合、その出力信号をパラレル／シリアル変換部２２６へ直接入力する。一方、ＭＣ−ＣＤＭＡの場合、その出力信号を逆拡散部２２４に入力し、定数Ｃｉ，ｊが乗算される。次に、伝播路推定器２２７によって、パイロットシンボルより得られた各サブキャリア毎のチャネル推定結果が送出される。次に、等化器２２５によって、伝播路推定器２２７から受信したチャネル推定結果を用いて、信号の伝搬路歪が補償され、整合フィルタよる積分操作により周波数軸上で逆拡散される。
【００４６】
ＯＦＤＭの場合、ＦＦＴ部２２３からの出力信号が、ＭＣ−ＣＤＭＡの場合、逆拡散された信号が、パラレル／シリアル変換部２２６によって、パラレル／シリアル変換される。
【００４７】
最後に、デコーディングデインタリーブ部２３によって、シリアル信号を復調し、送信された１つの送信データが復元される。
【００４８】
図３は、ＴＤＭをベースにしたスロット割当についてのフレーム構成図である。
【００４９】
図３によれば、複数の時間スロットからなる時間フレームを基準として、フレーム単位で各スロットに割り当てる変調方式、伝送速度、拡散率等の無線パラメータを動的に割り付けることを特徴としている。これにより、ユーザ数、ＱｏＳ（Ｑｕａｌｉｔｙ  ｏｆ  Ｓｅｒｖｉｃｅ：通信品質）、伝搬状態等に応じた最適なチャネル割当制御が可能となる。
【００５０】
上りリンクチャネルにおけるランダムアクセスは、基本的にＳｌｏｔｔｅｄ  ＡＬＯＨＡに基づくパケット伝送を行う。移動環境において、動画像伝送やインターネットアクセスといったマルチメディア通信を実現するために、大容量の情報伝送が可能なＭＣ−ＤＳ／ＣＤＭＡ（Ｍｕｌｔｉｐｌｅ  Ｃａｒｒｉｅｒ  −  Ｄｉｒｅｃｔ  Ｓｅｑｕｅｎｃｅ  ／  Ｃｏｄｅ  Ｄｉｖｉｓｉｏｎ  Ｍｕｌｔｉｐｌｅ  Ａｃｃｅｓｓ）又はＳＣ−ＤＳ／ＣＤＭＡ（Ｓｉｎｇｌｅ  Ｃａｒｒｉｅｒ  −  Ｄｉｒｅｃｔ  Ｓｅｑｕｅｎｃｅ  ／  Ｃｏｄｅ  Ｄｉｖｉｓｉｏｎ  Ｍｕｌｔｉｐｌｅ  Ａｃｃｅｓｓ）を適用する。
【００５１】
前述した本発明におけるＯＦＤＭ及びＭＣ−ＣＤＭＡを用いる送信装置、システム及び方法の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【００５２】
【発明の効果】
以上、詳細に説明したように、本発明によれば、ＯＦＤＭによる高速伝送と、ＭＣ−ＣＤＭＡによる周波数ダイバーシチ効果及びサイトダイバーシチ効果とにより、無線リンクの回線品質及び伝送特性を改善し、従来システムと比較して、より高速・高品質のブロードバンド無線アクセス伝送を実現する。特に、基地局からの下りリンクチャネルにおいて、周波数領域のみで拡散するためハードウェア構成が簡単となり、伝送速度が最高１００Ｍｂｉｔ／ｓ以上となり、かつ、面的展開を考慮した高速無線通信方式を実現できる。
【００５３】
具体的には、基地局と受信装置との距離が近くかつＣＩＮＲが高い環境においては、ＯＦＤＭを用いることにより高速伝送を実現する。また、基地局と受信装置との距離が遠く又はＣＩＮＲが低い環境においては、ＭＣ−ＣＤＭＡを用い、その拡散率を大きく設定し、周波数ダイバーシチ効果を得ることにより通信品質を改善する。更に、他セルからの同一チャネル干渉が厳しいセル隣接付近の受信装置に対しては、サイトダイバーシチを適用することにより、多重化した場合のコード間干渉を軽減する。
【図面の簡単な説明】
【図１】本発明におけるセル構成図である。
【図２】本発明による送信装置及び受信装置の機能構成図である。
【図３】ＴＤＭをベースにしたスロット割当についてのフレーム構成図である。
【符号の説明】
１１  ＰＮ発生器
１２  エンコーディングインタリーブ部
１３  マッピング部
１４  パイロット信号挿入部
１５  分割多重送信部
１５１  シリアル／パラレル変換部
１５２  コピー部
１５３  拡散部
１５４  逆高速フーリエ変換部
１５５  パラレル／シリアル変換部
１５６  ガードインターバル部
１６  送信アンテナ
２１  受信アンテナ
２２  分割多重受信部
２２１  ガードインターバル部
２２３  高速フーリエ変換部
２２４  逆拡散部
２２５  合成部
２２６  パラレル／シリアル変換部
２２７  伝播路推定部
２３  デコーディングデインタリーブ部
【図１】
2004158901.tif 000004
【図２】
2004158901.tif 000005
【図３】
2004158901.tif 000006